(57)【要約】【課題】  中ケースと下ケースの間隙から静電気が侵入して、回路基板に搭載された回路素子が破損する虞を少なくできる液晶表示装置を提供する。【解決手段】  バックライト部２０は、液晶表示パネル１０を透過照明する。ハウジング３０は、バックライト部２０を収容する。ベゼル部材４０は、液晶表示パネル１０を視認可能な開口４１ｂを有する。ハウジング３０は、第一の係止部３１ｃを有する第一のケース体３１と、第一の係止部３１ｃに係止される第二の係止部３２ｃを有する第二のケース体３２と、を備える。ベゼル部材４０は、第一のケース体３１と第二のケース体３２の間隙Ｃを覆う保護部４２ｂと、第一の係止部３１ｃ及び第二の係止部３２ｃの少なくとも一方を視認可能な孔部４２ｃとを有する。【選択図】  図１
2016024332.tif 000002
【特許請求の範囲】
【請求項１】
液晶表示パネルと、前記液晶表示パネルを透過照明するバックライト部と、前記バックライト部を収容するハウジングと、前記液晶表示パネルを視認可能な開口を有する金属製のベゼル部材と、を備えた液晶表示装置であって、
前記ハウジングは、第一の係止部を有する第一のケース体と、前記第一の係止部に係止される第二の係止部を有する第二のケース体と、を備え、
前記ベゼル部材は、前記第一のケース体と前記第二のケース体の間隙を覆う保護部を有することを特徴とする液晶表示装置。
【請求項２】
前記ベゼル部材は、前記第一の係止部及び前記第二の係止部の少なくとも一方を視認可能な孔部を有することを特徴とする請求項１に記載の液晶表示装置。
【請求項３】
前記バックライト部は、照明光を発する発光素子と、前記照明光を前記液晶表示パネルの後面に導く導光部材と、前記発光素子を搭載した回路基板と、を有することを特徴とする請求項１または請求項２に記載の液晶表示装置。
【請求項４】
前記回路基板は、前記ハウジングの周壁に沿うように配置されていることを特徴とする請求項３に記載の液晶表示装置。
【発明の詳細な説明】
【技術分野】
【０００１】
本発明は、液晶表示パネルを透過照明するバックライト部を備えた液晶表示装置に関するものである。
【背景技術】
【０００２】
従来より、液晶表示装置が種々提案されており、例えば特許文献１に開示されている。液晶表示装置は、ハウジングに収容されたバックライト部によって液晶表示パネルを透過照明するものである。バックライト部は、液晶表示パネルを透過照明する照明光を発する発光素子を有しており、この発光素子は回路基板に搭載されている。
【先行技術文献】
【特許文献】
【０００３】
【特許文献１】特開２０１１−１６４５０２号公報
【発明の概要】
【発明が解決しようとする課題】
【０００４】
しかしながら、回路基板を収容したハウジングに微小な隙間がある場合、その隙間から静電気が侵入して、回路基板に搭載された回路素子が破損する虞があり、液晶表示装置が所望の表示ができなくなるという問題を有していた。
本発明は、この問題に鑑みなされたものであり、ハウジングの隙間から侵入した静電気により回路素子が損傷する虞を少なくできる液晶表示装置を提供するものである。
【課題を解決するための手段】
【０００５】
本発明は、液晶表示パネル１０と、前記液晶表示パネル１０を透過照明するバックライト部２０と、前記バックライト部２０を収容するハウジング３０と、前記液晶表示パネル１０を視認可能な開口４１ｂを有する金属製のベゼル部材４０と、を備えた液晶表示装置であって、
前記ハウジング３０は、第一の係止部３１ｃを有する第一のケース体３１と、前記第一の係止部３１ｃに係止される第二の係止部３２ｃを有する第二のケース体３２と、を備え、
前記ベゼル部材４０は、前記第一のケース体３１と前記第二のケース体３２の間隙Ｃを覆う保護部４２ｂを有するものである。
【０００６】
また、本発明は、前記第一の係止部３１ｃ及び前記第二の係止部３２ｃの少なくとも一方を視認可能な孔部４２ｃを有するものである。
【０００７】
また、本発明は、前記バックライト部２０は、照明光を発する発光素子２１と、前記照明光を前記液晶表示パネル１０の後面に導く導光部材２２と、前記発光素子２１を搭載した回路基板２３と、を有するものである。
【０００８】
また、本発明は、前記回路基板２３は、前記ハウジング３０の周壁３１ｄ，３２ｄに沿うように配置されているものである。
【発明の効果】
【０００９】
第一のケース体と第二のケース体の間隙から静電気が侵入して、回路基板に搭載された回路素子が破損する虞を少なくできる。
【図面の簡単な説明】
【００１０】
【図１】本発明の実施形態を示す断面図。
【図２】同上実施形態を示す正面図。
【発明を実施するための形態】
【００１１】
以下、添付図面に基づいて、本発明の一実施形態を説明する。
【００１２】
液晶表示装置は、液晶表示パネル１０と、バックライト部２０と、ハウジング３０と、金属フレーム４０と、回路基板５０とを備えている。液晶表示パネル１０は、透明電極が形成された一対のガラス基板に液晶を封入した液晶セルの前後両面に偏光板を貼着したものである。液晶表示パネル１０の後面側には、光拡散部材１５及びプリズムシート１６が配設されている。液晶表示パネル１０は、図示しない可撓性配線部材により、回路基板５０と接続されている。
【００１３】
バックライト部２０は、サイドライト型バックライトであり、発光素子２１と、導光板２２と、回路基板２３とを有しており、液晶表示パネル１０を透過照明する。バックライト部２０の発光素子２１は、トップビュー型の発光ダイオードからなるものであり、導光板２２に照明光を照射する。発光素子２１は、回路基板２３に搭載されている。
【００１４】
導光板２２は、アクリル等の透光性樹脂からなるものであり、平板形状になっている。バックライト部２０は、導光板２２の側端面に沿うように、直線状に配設された複数の発光素子２１を有している。回路基板２３は、ハウジング３０に収容され、ハウジング３０の側壁部３１ｄ，３２ｄに沿うように配置されている。回路基板２３は、回路基板５０に接続されるコネクタ２３ｂを有している。
【００１５】
ハウジング３０は、中ケース３１及び下ケース３２からなるものである。中ケース３１は、液晶表示パネル１０等を支持する前面部３１ｂと、係止爪３１ｃが形成された側壁部３１ｄと、導光板２２を支持する支持部３１ｆとを有している。ハウジング３０には、液晶表示パネル１０，バックライト部２０，回路基板２３，５０が収容されている。下ケース３２は、底面部３２ｂと、弾性係止片３２ｃが形成された側壁部３２ｄとを有している。下ケース３２の弾性係止片３２ｃは、中ケース３１の係止爪３１ｃに係止される。
【００１６】
金属フレーム４０は、前面部４１及びフランジ部４２を有している。金属フレーム４０の前面部４１には、液晶表示パネル１０の画面を視認可能な矩形の開口４１ｂが形成されている。金属フレーム４０のフランジ部４２には、中ケース３１と下ケース３２の間隙Ｓを覆う保護部４２ｂが設けられている。金属フレーム４０の保護部４２ｂは、間隙Ｓから静電気が侵入することを防ぐものである。
【００１７】
中ケース３１と下ケース３２の間隙Ｓは、回路基板２３と保護部４２ｂの間に位置している。金属フレーム４０のフランジ部４２には、弾性係止片３２ｃが係止爪３１ｃに係止されていることを確認するための孔部４２ｃが形成されている。金属フレーム４０は、図示しない接続端子部により回路基板５０のグランドパターンに接続されている。
【００１８】
回路基板５０は、コネクタ５１によって回路基板２３に接続されている。回路基板５０は、回路基板２３と直交するように配置されている。回路基板５０は、ハウジング３０に収容され、液晶表示パネル１０と略平行に配置されている。回路基板５０には、液晶表示パネル１０及び発光素子２１を制御するマイコン５５が搭載されている。
【００１９】
本実施形態によれば、金属フレーム４０の保護部４２ｂによって、中ケース３１と下ケース３２の間隙Ｓから静電気が侵入することを防止でき、回路基板２３，５０に搭載されたマイコン５５等の回路素子が破損する虞を少なくできる。また、金属フレーム４０の孔部４２ｃにより、弾性係止片３２ｃが係止爪３１ｃに係止されていることを確認することができる。
【００２０】
なお、本発明は、本実施形態に限定されるものではなく、種々の変形が可能である。例えば、本実施形態は、バックライト部２０がサイドライト型バックライトであったが、直下型バックライトであっても良い。また、本実施形態は、下ケース３２に弾性係止片３２ｃを設け、中ケース３１に係止爪３１ｃを設けたものであるが、下ケース３２に係止爪を設け、中ケース３１に弾性係止片を設けても良い。
【符号の説明】
【００２１】
１０    液晶表示パネル
１５    光拡散部材
１６    プリズムシート
２０    バックライト部
２１    発光素子
２２    導光板（導光部材）
２３    回路基板
２３ｂ  コネクタ
３０    ハウジング
３１    中ケース（第一のケース体）
３１ｂ  前面部
３１ｃ  係止爪（第一の係止部）
３１ｄ  側壁部（周壁）
３２    下ケース（第二のケース体）
３２ｃ  弾性係止片（第二の係止部）
３２ｄ  側壁部（周壁）
４０    金属フレーム（ベゼル部材）
４１ｂ  開口
４２ｂ  保護部
４２ｃ  孔部
５０    回路基板
５１    コネクタ
５５    マイコン
【図１】
2016024332.tif 000003
【図２】
2016024332.tif 000004